(57)【要約】【課題】  着用者の指の腹部分の違和感を無くし、着用時のストレスを減少したスポーツ用手袋を実現する。【解決手段】  手の内側と手の甲側に振り分けた生地を重ね合わせて縫製するスポーツ用手袋にして、中指袋、薬指袋、小指袋において、手の甲側１は手掌部１１から中指部３、薬指部４、小指部５が延設されるよう生地を裁断するともに、手の内側１０は手掌部のみに生地を裁断し、手掌部とは別体の中指生地片２３、薬指生地片２４、小指生地片２５を手の甲側の中指部、薬指部、小指部および手の内側の手掌部に縫着することにより、手の甲側の指部と手の内側の指生地片によって指袋を立体的に縫製する。【選択図】  図１
2020182648.tif 000002
【特許請求の範囲】
【請求項１】
手の一方の側と他方の側に振り分けた生地を重ね合わせて縫製するスポーツ用手袋にして、
親指を除く各指袋の全部または一部において、手の一方の側の手掌部から指部が延設されるよう生地を裁断するともに、
手の他方の側は手掌部のみに生地を裁断し、
手掌部とは別体の指生地片を上記の手の一方の側の指部および手の他方の側の手掌部に縫着することにより、
手の一方の側の指部と手の他方の側の指生地片によって指袋を立体的に縫製することを特徴とするスポーツ用手袋。
【請求項２】
手の内側と手の甲側に振り分けた生地を重ね合わせて縫製するスポーツ用手袋にして、
親指を除く各指袋の全部または一部において、手の甲側は手掌部から指部が延設されるよう生地を裁断するともに、
手の内側は手掌部のみに生地を裁断し、
手掌部とは別体の指生地片を手の甲側の指部および手の内側の手掌部に縫着することにより、
手の甲側の指部と手の内側の指生地片によって指袋を立体的に縫製する請求項１記載のスポーツ用手袋。
【請求項３】
手の内側と手の甲側に振り分けた生地を重ね合わせて縫製するスポーツ用手袋にして、
少なくとも中指袋、薬指袋、小指袋において、手の甲側は手掌部から中指部、薬指部、小指部が延設されるよう生地を裁断するともに、
手の内側は手掌部のみに生地を裁断し、
手掌部とは別体の中指生地片、薬指生地片、小指生地片を手の甲側の中指部、薬指部、小指部および手の内側の手掌部に縫着することにより、
手の甲側の指部と手の内側の指生地片によって指袋を立体的に縫製する請求項２記載のスポーツ用手袋。
【請求項４】
手の内側の生地と手の甲側の生地は人指し指部において繋がっている請求項３記載のスポーツ用手袋。
【請求項５】
手袋はゴルフ用である請求項１から４のいずれかに記載のスポーツ用手袋。
【発明の詳細な説明】
【技術分野】
【０００１】
本願発明は各種の運動競技に使用するスポーツ用手袋に関し、より詳細には着用者の指の腹部分の違和感を無くし、着用時のストレスを減少したスポーツ用手袋に関する。
【背景技術】
【０００２】
例えばゴルフ、サッカー、野球、スキー、自転車などの運動競技に際し、スポーツ用手袋を着用することが多い。この種のスポーツ用手袋は通常の手袋同様、着用者の手の内側と手の甲側に振り分けた生地を重ね合わせて縫製される。
【０００３】
前記のスポーツ用手袋において、生地は手の形に沿って裁断されて縫製されるが、着用される手は厚みおよび丸みを有するものであるので立体的な形状に縫製しなくてはならない。
【０００４】
この場合、指部を除いた手の箇所である手掌部においては、厚みおよび丸み分を加味した寸法に裁断すればよいが、互いに隣接する指部においては裁断できる幅方向の寸法に限りがあるのでそのままでは生地幅が足りず立体的な形状に縫製できない。そこで、従来技術のスポーツ用手袋においては手の内側の指部と手の甲側の指部間に襠片を介在させて立体的な形状に縫製していた（例えば特許文献１）。
【先行技術文献】
【特許文献】
【０００５】
【特許文献１】特開平１１−１８８１３０号公報
【発明の開示】
【発明が解決しようとする課題】
【０００６】
前記従来技術のスポーツ用手袋においては指袋を手の内側の指部を構成する生地、手の甲側の指部を構成する生地、これら間に介在させる襠片の計４枚の生地を接ぎ合わせて縫着するので、これらの４箇所の縫い目が手袋から突出することになる。その結果、これらの縫い目が着用者の指の腹部分に当接し、違和感を生じさせ着用時のストレスとなる問題があった。競技の成績を上げる目的のために着用されるスポーツ用手袋はグリップ力、フィット感が重視されるものであり、特にゴルフ用手袋においては、クラブのグリップに前記の縫い目が当接し、その違和感は深刻であった。
【課題を解決するための手段】
【０００７】
本願発明は前記の問題を解消したスポーツ用手袋を提供することを目的として創作されたものであり、
手の一方の側と他方の側に振り分けた生地を重ね合わせて縫製するスポーツ用手袋にして、
親指を除く各指袋の全部または一部において、手の一方の側の手掌部から指部が延設されるよう生地を裁断するともに、
手の他方の側は手掌部のみに生地を裁断し、
手掌部とは別体の指生地片を上記の手の一方の側の指部および手の他方の側の手掌部に縫着することにより、
手の一方の側の指部と手の他方の側の指生地片によって指袋を立体的に縫製することを特徴とする。
【０００８】
前記の手掌部から指部が延設される側は手の内側と手の甲側のいずれかが想定されるが、請求項２記載の発明においては手の甲側とし、手の内側は手掌部のみに生地を裁断している。
【０００９】
また、請求項３記載の発明は前記のスポーツ用手袋において、中指袋、薬指袋、小指袋において、手の甲側は手掌部から中指部、薬指部、小指部が延設されるよう生地を裁断するともに、手の内側は手掌部のみに生地を裁断し、手掌部とは別体の中指生地片、薬指生地片、小指生地片を手の甲側の中指部、薬指部、小指部および手の内側の手掌部に縫着している。
【００１０】
また、請求項４記載の発明は前記のスポーツ用手袋において、手の内側の生地と手の甲側の生地は人指し指部において繋げるよう裁断している。
【００１１】
また、請求項５記載の発明は前記のスポーツ用手袋をゴルフ用手袋としている。
【発明の効果】
【００１２】
以上の構成よりなる本願発明のスポーツ用手袋においては、指部と指生地片の２枚の生地によって、指袋を立体的に縫製するので縫い目の数が少なくなり、着用者の違和感を減少することができる。
【００１３】
この場合、請求項２記載の発明によれば手掌部から指部が延設される側は手の甲側とするので、指生地片との縫い目は甲側近くに位置することとなり、着用者の指の腹部分には指生地片のみ当接し、縫い目は当接しないので、特にゴルフ用手袋においては縫い目がグリップ時に着用者の指の腹部分に当接することがない、着用時のストレスがない手袋が実現されることとなる。
【図面の簡単な説明】
【００１４】
【図１】本願発明のスポーツ用手袋の各生地を示す手の内側から見た分解斜視図。
【図２】同上、手の甲側から見た分解斜視図。
【図３】本願発明のスポーツ用手袋の手の内側から見た分解斜視図。
【図４】同上、手の甲側から見た分解斜視図。
【発明を実施するための最良の形態】
【００１５】
次に本願発明のスポーツ用手袋をゴルフ用手袋を例にとった具体的実施例を添付図面に基づいて説明する。図１は各生地を示す手の内側から見た斜視図である。本願発明のスポーツ用手袋は合成皮革、人工皮革、または天然皮革製の皮革生地を接ぎ合わせて縫製される。
【００１６】
本願発明のスポーツ用手袋は手の内側と手の甲側に振り分けた生地を重ね合わせて縫製されるものであり、ここでは手の内側の生地１０と手の甲側の生地１を人指し指部において繋げて裁断している。図中符号１１は手掌部を指し、本願明細書では手の指以外の箇所を「手掌部」と定義する。図中符号１３は重ね合わせた際に端部を縫着する手の内側の生地１０と手の甲側の生地１の縫い目である。
【００１７】
ここでは中指袋、薬指袋、小指袋において、手の甲側の生地１は手掌部１１から中指部３、薬指部４、小指部５が延設されるよう生地が裁断される。
【００１８】
また、手の内側の生地１０は中指部、薬指部、小指部がない手掌部１１のみに生地が裁断される。
【００１９】
一方、手掌部１１とは別体の中指生地片２３、薬指生地片２４、小指生地片２５を用意し、手の甲側の中指部３、薬指部４、小指部５および手の内側の手掌部に縫着することにより、手の甲側の指部と手の内側の指生地片によって指袋を立体的に縫製する。図中符号２３Ａは中指生地片２３と手掌部との、２４Ａは薬指生地片２４と手掌部との、２５Ａは小指生地片２５と手掌部との縫い目を指す。また、図中符号２３Ｂは中指部３両端と中指生地片２３両端との、２４Ｂは薬指部４両端と薬指生地片２４両端との、２５Ｂは小指部５両端と小指生地片２５両端との縫い目を指す。また、図中符号２７は中指生地片２３と薬指生地片２４との、２８は薬指生地片２４と小指生地片２５との縫い目を指す。
【００２０】
人指し指袋は手の内側の生地１０と手の甲側の生地１を重ね合わせられる際に二つ折りされて得られる手の内側の人指し指部１２と手の甲側の人指し指部２を縫着することにより構成され、この場合、手の内側の人指し指部の下方と手掌部１１間に襠片２９が接ぎ合わされる。図中符号２Ｂは手の内側の人指し指部１２と手の甲側の人指し指部２との、２６は上記襠片２９と中指生地片２３との縫い目を指す。
【００２１】
親指袋は手の内側の生地１０と手の甲側の生地１に渡って手掌部１１に開けられる縫着用穴１４に親指生地片１５を縫着する公知の手法により構成される。
【００２２】
図中符号Ｓは着用者が手袋を装着するに際して手首箇所から甲箇所にかけて大きく開放させるために手掌部１１の手首側端部から指方向にかけて切りかかれるスリットである。前記スリットＳの一側にはスリットのほぼ全長近くに渡る高さを有するリストバンド３０の一端が固定され、スリットの他側の甲箇所にはリストバンドの他端に設けられた面ファスナーなどの係着部材が係着される被係着部材３１が設けられる。
【符号の説明】
【００２３】
１          手の甲側の生地
２          手の甲側の人指し指部
３          手の甲側の中指部
４          手の甲側の薬指部
５          手の甲側の小指部
１０        手の内側の生地
１１        手掌部
１２        手の内側の人指し指部
１３        縫い目
１４        （親指袋の）縫着用穴
１５        親指袋
２３        中指生地片
２３Ａ      縫い目
２３Ｂ      縫い目
２４        薬指生地片
２４Ａ      縫い目
２４Ｂ      縫い目
２５        小指生地片
２５Ａ      縫い目
２５Ｂ      縫い目
２６        縫い目
２７        縫い目
２８        縫い目
２９        襠片
【図１】
2020182648.tif 000003
【図２】
2020182648.tif 000004
【図３】
2020182648.tif 000005
【図４】
2020182648.tif 000006